(57)【要約】【課題】接続される装置を用いて通信する場合に、通信状態を報知することのできる制御装置及び通信装置を提供する。【解決手段】アンテナを有する通信装置に有線接続される接続手段と、前記通信装置を介して前記他の無線通信装置と通信するための通信手段と、前記通信手段と前記他の無線通信装置との間の通信状態の報知を前記通信装置に指示する制御手段とを有する。【選択図】    図４
2011160472.tif 000002
【特許請求の範囲】
【請求項１】
アンテナを有する第１の通信装置に有線接続で接続される接続手段と、
前記第１の通信装置を介して無線通信装置と通信するための通信手段と、
前記無線通信装置との間で第１の通信プロトコルに応じて通信する場合に、通信状態の報知を前記第１の通信装置に指示し、第２の通信プロトコルに応じて通信する場合に、前記通信状態の報知を前記第１の通信装置で制御させる制御手段と、
を有することを特徴とする制御装置。
【請求項２】
前記制御手段は、前記無線通信装置との間で前記第１の通信プロトコルに応じて通信する場合に、前記無線通信装置との間のデータ転送の開始時または終了時に、前記通信状態の報知を前記第１の通信装置に指示することを特徴とする請求項１記載の制御装置。
【請求項３】
前記制御手段は、前記無線通信装置との間で前記第１の通信プロトコルに応じて通信する場合に、前記無線通信装置からのデータ転送開始のコマンド受信時、データ転送終了のコマンド受信時に、前記通信状態の報知を前記第１の通信装置に指示することを特徴とする請求項１記載の制御装置。
【請求項４】
前記制御手段は、前記無線通信装置との間で前記第１の通信プロトコルに応じて通信する場合に、前記無線通信装置との間の通信接続完了時または前記無線通信装置との間の通信接続切断時に、前記通信状態の報知を前記第１の通信装置に指示することを特徴とする請求項１記載の制御装置。
【請求項５】
前記制御手段は、前記無線通信装置との間で前記第１の通信プロトコルに応じて通信する場合に、前記通信状態に応じて異なる報知を前記第１の通信装置に指示することを特徴とする請求項１記載の制御装置。
【請求項６】
前記制御手段は、前記無線通信装置との間で前記第２の通信プロトコルに応じて通信する場合に、制御パターンリストに基づいて通信パケットのパターンを監視させるために前記第１の通信装置に指示することを特徴とする請求項１記載の制御装置。
【請求項７】
前記制御パターンリストは、前記通信パケットのパターンに対応した前記通信状態の報知が規定されていることを特徴とする請求項６記載の制御装置。
【請求項８】
前記制御パターンリストは、前記通信パケットの開始位置からの指定長分のパターンが規定されていることを特徴とする請求項６記載の制御装置。
【請求項９】
アンテナを有する通信パッドに有線接続で接続される接続手段と、
前記第通信パッドを介して無線通信装置と通信するための通信手段と、
前記通信手段と前記無線通信装置との間の通信状態の報知を前記通信パッドに指示する制御手段と、
を有することを特徴とする制御装置。
【請求項１０】
前記制御手段は、前記無線通信装置との間のデータ転送開始時または終了時に、前記通信状態の報知を前記通信パッドに指示することを特徴とする請求項９記載の制御装置。
【請求項１１】
前記制御手段は、前記無線通信装置からのデータ転送開始のコマンド受信時、またはデータ転送終了のコマンド受信時に、前記通信状態の報知を前記通信パッドに指示することを特徴とする請求項９記載の制御装置。
【請求項１２】
前記制御手段は、前記無線通信装置との間の通信接続完了時、または前記無線通信装置との間の通信接続切断時に、前記通信状態の報知を前記通信パッドに指示することを特徴とする請求項９記載の制御装置。
【請求項１３】
前記制御手段は、前記無線通信装置との間の通信に用いる通信プロトコルに応じた前記通信状態の報知を前記通信パッドに指示することを特徴とする請求項９記載の制御装置。
【発明の詳細な説明】
【技術分野】
【０００１】
この発明は、制御アプリケーションと分離された通信機器の制御技術に関する。
【背景技術】
【０００２】
近年、機器間でデータ転送する際、機器間を有線で接続することなく、無線通信でデータ転送する技術が実現されている。このような技術として、Ｔｒａｎｓｆｅｒ  ＪＥＴ（登録商標）無線技術がある。
【０００３】
Ｔｒａｎｓｆｅｒ  ＪＥＴ無線技術は、ＵＷＢ（Ultra-Wide Band）の転送速度とＮＦＣ（Near Field Communications）の通信距離の組み合わせで実現されている。したがって、Ｔｒａｎｓｆｅｒ  ＪＥＴ無線技術によって、例えば、ＰＣ（personal computer）に取り付けられたＴｒａｎｓｆｅｒ  ＪＥＴ  ＵＳＢ（Universal serial bus）パッドに携帯端末をタッチするだけで、携帯端末からＰＣに大容量のデータファイルを高速で転送することができる。
【０００４】
特許文献１には、通信デバイス設けられた演算処理部がコントローラと光通信可能なＬＥＤ（Light emitting diode）を検出動作に対応してステータス表示を制御する構成について開示されている。
【先行技術文献】
【特許文献】
【０００５】
【特許文献１】特開２００９−９４８９号公報
【発明の概要】
【発明が解決しようとする課題】
【０００６】
しかしながら、特許文献１の構成では、演算処理部とＬＥＤが通信装置に設けられている。つまり、ＵＳＢパッドのように、本体装置に対して外部接続される通信デバイスを用いて他の通信装置と通信する場合に、通信状態を該通信デバイスで報知することについては何ら考慮されていない。
【０００７】
そこで、この発明は、外部接続される装置を用いて通信する場合に、通信状態を報知することのできる制御装置及び通信装置を提供することを目的とする。
【課題を解決するための手段】
【０００８】
本発明に係る制御装置は、アンテナを有する通信装置に有線接続される接続手段と、前記通信装置を介して前記他の無線通信装置と通信するための通信手段と、前記通信手段と前記他の無線通信装置との間の通信状態の報知を前記通信装置に指示する制御手段とを有する。
【発明の効果】
【０００９】
上記した発明によれば、外部接続される装置を用いて通信する場合に、通信状態を報知することのできる制御装置及び通信装置を提供することができる。
【図面の簡単な説明】
【００１０】
【図１】実施形態に係る近接無線システムの概略構成図。
【図２】実施形態に係るステーショナリ機器の概略を示すブロック図。
【図３】実施形態に係る通信デバイスの概略を示すブロック図。
【図４】実施形態に係るステーショナリ機器からの接続（切断）要求を示す図。
【図５】実施形態に係るＬＥＤの点灯制御を示すシーケンス図。
【図６】実施形態に係るＬＥＤの消灯制御を示すシーケンス図。
【図７】実施形態に係るステーショナリ機器からのファイル転送を示す図。
【図８】実施形態に係るＬＥＤの点滅制御を示すシーケンス図。
【図９】実施形態に係るモバイル機器からの接続（切断）要求を示す図。
【図１０】実施形態に係るＬＥＤの点灯制御を示すシーケンス図。
【図１１】実施形態に係るＬＥＤの消灯制御を示すシーケンス図。
【図１２】実施形態に係るモバイル機器からのファイル転送を示す図。
【図１３】実施形態に係るＬＥＤの点滅制御を示すシーケンス図。
【図１４】実施形態に係るステーショナリ機器の動作概要を示すフローチャート。
【図１５】実施形態に係る通信デバイスの動作概要を示すフローチャート。
【図１６】実施形態に係る制御パターン設定を用いたＬＥＤの制御方法を示すシーケンス図。
【図１７】実施形態に係る制御パターン設定を用いたＬＥＤの制御方法を示すシーケンス図。
【図１８】実施形態に係る制御パターンリストを用いた制御方法を示す図。
【図１９】実施形態に係る通信デバイスの動作概要を示すフローチャート。
【図２０】実施形態に係る通信プロトコルに応じたステーショナリ機器の動作概要を示すフローチャート。
【発明を実施するための最良の形態】
【００１１】
図面を参照して、本実施形態について説明する。図１は、本実施形態に係る近接無線システムの概略構成図である。近接無線システムは、ステーショナリ機器１及び通信デバイス２で構成されている。ステーショナリ機器１は、例えばパーソナルコンピュータである。ステーショナリ機器１と通信デバイス２は、分離された構成である。ステーショナリ機器１は、通信デバイス２を制御する制御アプリケーション１０１を有している。通信デバイス２は、ステーショナリ機器１とＵＳＢケーブル３などで接続されている。通信デバイス２は、Ｔｒａｎｓｆｅｒ  ＪＥＴ無線技術に対応した通信パッドであり、当該ＴｒａｎｓｆｅｒＪｅｔ通信を行なうためのアンテナ（カプラ）２０を有する。通信デバイス２は、例えば携帯端末などのＴｒａｎｓｆｅｒ  ＪＥＴ無線技術に対応したモバイル機器４と近接無線通信する。また、通信デバイス２は、通信状態を報知するＬＥＤ２０１を備える。
【００１２】
図２は、ステーショナリ機器１における制御アプリケーション１０１を作動する構成を示すブロック図である。ＰＣＬ（Protocol Conversion Layer, プロトコル変換層）１０は、ＰＣＬコントローラ１０２及びＰＣＬアダプタ１０３で構成されている。ＰＣＬコントローラ１０２は、セッション管理とＰＣＬアダプタ１０３の制御を実行する。ＰＣＬアダプタ１０３は、既存のインターフェース規格（例えばＯＢＥＸ（Object exchange）、ＳＣＳＩ（Small computer system inerface）など）をＴｒａｎｓｆｅｒＪｅｔ規格のパケットに変換する。Ｔｒａｎｓｆｅｒ  ＪＥＴ  ＵＳＢ  ブリッジ１０４は、アプリケーション１０１側とＵＳＢケーブル３を介して信号を送受信するためのＵＳＢホストコントローラ１０５と接続する。ＵＳＢホストコントローラ１０５は、ＵＳＢインターフェース１０７と接続された通信デバイス２のＵＳＢデバイス２０２を制御する。イニシエータ（Indication Control Initiator）１０６は、通信状態を報知するＬＥＤ２０１に対する制御指示をパケット化する。
【００１３】
図３は、本実施形態に係る通信デバイス２の構成を示すブロック図である。ＵＳＢデバイス２０２は、ＵＳＢインターフェース２０３に接続されたステーショナリ機器１とのＵＳＢ通信を制御する。ＵＳＢデバイス２０２は、ＵＳＢケーブル３を用いてステーショナリ機器１と有線接続する。Ｔｒａｎｓｆｅｒ  ＪＥＴ  ＵＳＢ  ブリッジ２０３は、モバイル機器４と送受信するためのＣＮＬ（Connection Layer、接続層）２０４及びＰＨＹ（Transfer Jet Physical Layer）２０５とＵＳＢホストコントローラ１０５と接続する。
【００１４】
ＣＮＬ２０４は、モバイル機器４との接続及びデータ配信を管理する。ＰＨＹ２０５は、アンテナ２０と送受信可能な信号を変換してモバイル機器４と通信する。ターゲット（Intication Control Target）２０６は、ステーショナリ機器１からの制御指示を受信する。音声コントローラ２０７は、ターゲット２０６による指示に応じて、音声出力部２０８を制御する。ＬＥＤコントローラ２０９は、ターゲット２０６による指示に応じて、ＬＥＤ２０１を制御する。
【００１５】
図４は、本実施形態に係る近接無線システムにおいて、ステーショナリ機器１とモバイル機器４との接続時に、ステーショナリ機器１からモバイル機器４に接続要求する場合の概略図である。ステーショナリ機器１のアプリケーション１０１は、ＵＳＢケーブル３及び通信デバイス２を介してモバイル機器４に接続要求する。その後、アプリケーション１０１は、ＬＥＤ２０１を点灯制御させるための点灯指示を通信デバイス２に送信する。点灯指示を受信した通信デバイス２は、ＬＥＤ２０１を点灯させる。
【００１６】
また、ステーショナリ機器１とモバイル機器４との切断時に、ステーショナリ機器１からモバイル機器４に切断要求する場合も同様である。つまり、アプリケーション１０１は、ＵＳＢケーブル３及び通信デバイス２を介してモバイル機器４に切断要求する。その後、アプリケーション１０１は、ＬＥＤ２０１を消灯制御させるための消灯指示を通信デバイス２に送信する。消灯指示を受信した通信デバイス２は、ＬＥＤ２０１を消灯させる。
【００１７】
図５は、図４で概略説明したステーショナリ機器１からモバイル機器４への接続要求時におけるＬＥＤ２０１に対する点灯制御を示すシーケンス図である。ステーショナリ機器１のＰＣＬコントローラ１０２及びＰＣＬアダプタ１０３は、アプリケーション２０１による接続処理指示に従い、ＵＳＢブリッジ１０４及びＨＣ１０５から接続要求をＵＳＢケーブル３及び通信デバイス２の接続層２０４及び物理層２０５を介してモバイル機器４に送信する。通信デバイス４は、接続層２０４及び物理層２０５を介してモバイル機器４から接続要求を受信すると、ＵＳＢデバイス２０２及びＵＳＢブリッジ２０３からＵＳＢケーブル３を介してステーショナリ機器１に接続応答を送信する。
【００１８】
ステーショナリ機器１のＰＣＬコントローラ１０２及びＰＣＬアダプタ１０３は、ＵＳＢブリッジ１０４及びＨＣ１０５で受信した接続応答を取得する。ＰＣＬコントローラ１０２及びＰＣＬアダプタ１０３は、アプリケーション１０１の接続処理指示に基づいて、ＬＥＤ２０１に対する点灯指示をイニシエータ１０６に送信する。
【００１９】
イニシエータ１０６は、点灯指示をパケット化し、ＵＳＢケーブル３を介して通信デバイス２に送信する。通信デバイス２のターゲット２０６は、ＵＳＢデバイス２０２及びＵＳＢブリッジ２０３で受信した点灯指示パケットを取得する。ターゲット２０６は、点灯指示パケットに基づいて、ＬＥＤコントローラ２０９に点灯指示を出力する。ＬＥＤコントローラ２０９は、点灯指示に基づいて、ＬＥＤ２０１を点灯制御する。
【００２０】
図６は、図４で概略説明したステーショナリ機器１からモバイル機器４への切断要求時におけるＬＥＤ２０１に対する点灯制御を示すシーケンス図である。ステーショナリ機器１のＰＣＬコントローラ１０２及びＰＣＬアダプタ１０３は、アプリケーション２０１による切断処理指示に従い、ＵＳＢブリッジ１０４及びＨＣ１０５から切断要求をＵＳＢケーブル３及び通信デバイス２の接続層２０４及び物理層２０５を介してモバイル機器４に送信する。モバイル機器４は、接続層２０４及び物理層２０５を介してモバイル機器４から切断応答を受信すると、ＵＳＢブリッジ１０３及びＵＳＢデバイス２０２からＵＳＢケーブル３を介してステーショナリ機器１に切断応答を送信する。
【００２１】
ステーショナリ機器１のＰＣＬコントローラ１０２及びＰＣＬアダプタ１０３は、ＵＳＢブリッジ１０４及びＨＣ１０５を介して受信した切断応答を取得する。ＰＣＬコントローラ１０２及びＰＣＬアダプタ１０３は、アプリケーション１０１による切断処理指示に基づいて、ＬＥＤ２０１の消灯指示をイニシエータ１０６に送信する。
【００２２】
イニシエータ１０６は、消灯指示をパケット化し、ＵＳＢケーブル３を介して通信デバイス２に送信する。通信デバイス２のターゲット２０６は、ＵＳＢデバイス２０２及びＵＳＢブリッジ２０３で受信した消灯指示パケットを取得する。ターゲット２０６は、消灯指示パケットに基づいて、ＬＥＤコントローラ２０９に消灯指示を出力する。ＬＥＤコントローラ２０９は、消灯指示に基づいて、ＬＥＤ２０１を消灯制御する。
【００２３】
図７は、本実施形態に係る近接無線システムにおいて、ステーショナリ機器１とモバイル機器４とが通信可能状態に接続している状態で、ステーショナリ機器１からモバイル機器４にファイル転送する場合の概略図である。アプリケーション１０１は、ＵＳＢケーブル３を介してＬＥＤ２０１に対する点滅指示を送信する。点滅指示を受信した通信デバイス２は、ＬＥＤ２０１を点滅させる。その後、アプリケーション１０１は、ＵＳＢケーブル３及び通信デバイス２を介してモバイル機器４にファイルを転送する。
【００２４】
図８は、図７で概略説明したステーショナリ機器１からモバイル機器４へのファイル転送時におけるＬＥＤ２０１に対する点滅制御を示すシーケンス図である。アプリケーション１０１は、ファイルの転送処理を実行するために、イニシエータ１０６にＬＥＤ２０１の点滅指示を送信する。イニシエータ１０６は、点滅指示をパケット化し、ＵＳＢケーブル３を介して通信デバイス２に送信する。通信デバイス２のターゲット２０６は、ＵＳＢデバイス２０２及びＵＳＢブリッジ２０３で受信した点滅指示パケットを取得する。ターゲット２０６は、点滅指示パケットに基づいて、ＬＥＤコントローラ２０９に点滅指示を出力する。ＬＥＤコントローラ２０９は、点滅指示に基づいて、ＬＥＤ２０１を点滅制御する。
【００２５】
次に、アプリケーション１０１は、イニシエータ１０６が点滅指示パケットを通信デバイス２に送信した後、ＵＳＢケーブル３及び通信デバイス２の接続層２０４及び物理層２０５を介してモバイル機器４へファイルの転送処理を開始する。
【００２６】
アプリケーション１０１が、モバイル機器４へ転送対象となるファイル全ての転送を終了すると、イニシエータ１０６にＬＥＤ２０１に対する点灯指示を送信する。イニシエータ１０６は、点灯指示をパケット化し、ＵＳＢケーブル３を介して通信デバイス２に送信する。通信デバイス２のターゲット２０６は、ＵＳＢデバイス２０２及びＵＳＢブリッジ２０３で受信した点灯指示パケットを取得する。ターゲット２０６は、点灯指示パケットに基づいて、ＬＥＤコントローラ２０９に点灯指示を出力する。ＬＥＤコントローラ２０９は、点灯指示に基づいて、ＬＥＤ２０１を点灯制御する。
【００２７】
図９は、本実施形態に係る近接無線システムにおいて、ステーショナリ機器１とモバイル機器４との接続時に、モバイル機器４からステーショナリ機器１に接続要求する場合の概略図である。モバイル機器４は、ＵＳＢケーブル３及び通信デバイス２を介してステーショナリ機器１のアプリケーション１０１に接続要求する。その後、アプリケーション１０１は、ＬＥＤ２０１を点灯制御させるための点灯指示を通信デバイス２に送信する。点灯指示を受信した通信デバイス２は、ＬＥＤ２０１を点灯させる。
【００２８】
また、ステーショナリ機器１とモバイル機器４との切断時に、モバイル機器４からステーショナリ機器１に切断要求する場合も同様である。つまり、モバイル機器４は、ＵＳＢケーブル３及び通信デバイス２を介してステーショナリ機器１のアプリケーション１０１に切断要求する。その後、アプリケーション１０１は、ＬＥＤ２０１に対する消灯指示を通信デバイス２に送信する。消灯指示を受信した通信デバイス２は、ＬＥＤ２０１を消灯させる。
【００２９】
図１０は、図９で概略説明したモバイル機器４からステーショナリ機器１への接続要求時におけるＬＥＤ２０１に対する点灯制御を示すシーケンス図である。モバイル機器４は、通信デバイス２の接続層２０４及び物理層２０５と通信することで、通信デバイスを介してステーショナリ機器１に接続要求を送信する。ステーショナリ機器１のＰＣＬコントローラ１０２及びＰＣＬアダプタ１０３は、モバイル機器４からの接続要求を検知すると、接続要求に応じたＬＥＤ２０１に対する点灯指示をイニシエータ１０６に送信する。
【００３０】
イニシエータ１０６は、点灯指示をパケット化し、ＵＳＢケーブル３を介して通信デバイス２に送信する。通信デバイス２のターゲット２０６は、ＵＳＢデバイス２０２及びＵＳＢブリッジ２０３で受信した点灯指示パケットを取得する。ターゲット２０６は、点灯指示パケットに基づいて、ＬＥＤコントローラ２０９に点灯指示を出力する。ＬＥＤコントローラ２０９は、点灯指示に基づいて、ＬＥＤ２０１を点灯制御する。
【００３１】
ステーショナリ機器１のＰＣＬコントローラ１０２及びＰＣＬアダプタ１０３は、イニシエータ１０６が点滅指示パケットを通信デバイス２に送信した後、ＵＳＢケーブル３及び通信デバイス２の接続層２０４及び物理層２０５を介してモバイル機器４に接続応答を送信する。
【００３２】
図１１は、図９で概略説明したモバイル機器４からステーショナリ機器１への切断要求時におけるＬＥＤ２０１に対する点灯制御を示すシーケンス図である。モバイル機器４は、通信デバイス２の接続層２０４及び物理層２０５と通信することで、通信デバイスを介してステーショナリ機器１に切断要求を送信する。ステーショナリ機器１のＰＣＬコントローラ１０２及びＰＣＬアダプタ１０３は、モバイル機器４からの切断要求を検知すると、切断要求に応じたＬＥＤ２０１の消灯指示をイニシエータ１０６に送信する。
【００３３】
イニシエータ１０６は、消灯指示をパケット化し、ＵＳＢケーブル３を介して通信デバイス２に送信する。通信デバイス２のターゲット２０６は、ＵＳＢデバイス２０２及びＵＳＢブリッジ２０３で受信した消灯指示パケットを取得する。ターゲット２０６は、消灯指示パケットに基づいて、ＬＥＤコントローラ２０９に消灯指示を出力する。ＬＥＤコントローラ２０９は、消灯指示に基づいて、ＬＥＤ２０１を消灯制御する。
【００３４】
図１２は、本実施形態に係る近接無線システムにおいて、ステーショナリ機器１とモバイル機器４とが通信可能状態に接続している状態で、モバイル機器４からステーショナリ機器１にファイル転送する場合の概略図である。モバイル機器は、ＵＳＢケーブル３及び通信デバイス２を介してモバイル機器４にファイルの転送要求を送信する。アプリケーション１０１は、ファイルの転送要求を受信した後、ＵＳＢケーブル３を介してＬＥＤ２０１に対する点滅指示を送信する。点滅指示を受信した通信デバイス２は、ＬＥＤ２０１を点滅させる。
【００３５】
図１３は、図１２で概略説明したモバイル機器４からステーショナリ機器１へのファイル転送時におけるＬＥＤ２０１に対する点滅制御を示すシーケンス図である。モバイル機器４は、ステーショナリ機器１の接続層２０４及び物理層２０５と通信し、ＵＳＢケーブル３を介してファイルの転送処理を開始する。ファイルの転送処理開始時は、ファイルの転送要求も含む。
【００３６】
ステーショナリ機器１のアプリケーション１０１は、モバイル機器４からファイルの転送要求を検知すると、イニシエータ１０６にＬＥＤ２０１に対する点滅指示を送信する。イニシエータ１０６は、点滅指示をパケット化し、ＵＳＢケーブル３を介して通信デバイス２に送信する。通信デバイス２のターゲット２０６は、ＵＳＢブリッジ２０２及びＵＳＢデバイス２０３で受信した点滅指示パケットを取得する。ターゲット２０６は、点滅指示パケットに基づいて、ＬＥＤコントローラ２０９に点滅指示を出力する。ＬＥＤコントローラ２０９は、点滅指示に基づいて、ＬＥＤ２０１を点滅制御する。
【００３７】
モバイル機器４は、ステーショナリ機器１の接続層２０４及び物理層２０５と通信し、ＵＳＢケーブル３を介してファイルの転送処理を続行する。ステーショナリ機器１のアプリケーション１０１は、モバイル機器４から転送される転送対象ファイル全ての転送が終了したと検知すると、イニシエータ１０６にＬＥＤ２０１に対する点灯指示を送信する。イニシエータ１０６は、点灯指示をパケット化し、ＵＳＢケーブル３を介して通信デバイス２に送信する。通信デバイス２のターゲット２０６は、ＵＳＢブリッジ２０２及びＵＳＢデバイス２０３で受信した点灯指示パケットを取得する。ターゲット２０６は、点灯指示パケットに基づいて、ＬＥＤコントローラ２０９に点灯指示を出力する。ＬＥＤコントローラ２０９は、点灯指示に基づいて、ＬＥＤ２０１を点灯制御する。
【００３８】
ここでは、アプリケーション１０１がモバイル機器４から送信された通信データに基づいて、ＬＥＤ２０１に対する点滅指示または点灯指示をイニシエータ１０６に送信していたが、ＰＣＬコントローラ１０２及びＰＣＬアダプタ１０３によってなされてもよい。
【００３９】
図１４は、本実施形態に係る近接無線システムにおいて、上記図４から図１３で説明したステーショナリ機器１側の動作概要を示すフローチャートである。
【００４０】
はじめに、アプリケーション１０１は、モバイル機器４との通信状態の変化を検知する（ステップＳ１０１）。通信状態の変化とは、接続、ファイル転送、切断要求などである。アプリケーション１０１は、通信状態の変化に応じて、ＬＥＤ２０１に対する制御指示の内容を決定する（ステップＳ１０２）。制御指示とは、上記説明した消灯指示、点灯指示、点滅指示のいずれかである。モバイル機器４との接続完了時、またはファイルの転送処理完了時、アプリケーション１０１は、ＬＥＤ２０１に対する点灯指示を決定する（ステップＳ１０３）。モバイル機器４との通信開始時、アプリケーション１０１は、ＬＥＤ２０１に対する点滅指示を決定する（ステップＳ１０４）。モバイル機器４との接続切断時、アプリケーション１０１は、ＬＥＤ２０１に対する消灯指示を決定する（ステップＳ１０５）。
【００４１】
アプリケーション１０１は、制御指示をパケット化する（ステップＳ１０６）。そして、アプリケーション１０１は、制御指示パケットをＵＳＢケーブル３を介して通信デバイス２に送信する（ステップＳ１０７）。
【００４２】
図１５は、本実施形態に係る近接無線システムにおいて、上記図４から図１３で説明した通信デバイス２側の動作概要を示すフローチャートである。ターゲット２０６が、ＬＥＤ２０１に対する制御指示パケットを受信する（ステップＳ２０１）。ターゲット２０６は、制御指示パケットをデコードする（ステップＳ２０２）。次に、ターゲット２０６は、制御指示からＬＥＤ２０１に対する制御内容を解析する（ステップＳ２０３）。
【００４３】
制御内容がＬＥＤ２０１に対する点灯制御の場合、ターゲット２０６は、ＬＥＤコントローラ２０９によりＬＥＤ２０１を点灯制御する（ステップＳ２０４）。制御内容がＬＥＤ２０１の点滅制御の場合、ターゲット２０６は、ＬＥＤコントローラ２０９によりＬＥＤ２０１を点滅制御する（ステップＳ２０５）。制御内容がＬＥＤ２０１の消灯制御の場合、ターゲット２０６は、ＬＥＤコントローラ２０９によりＬＥＤ２０１を消灯制御する（ステップＳ２０６）。
【００４４】
図１６は、本実施形態に係る近接無線システムにおいて、ステーショナリ機器１からモバイル機器４へのファイル転送時、ＬＥＤ２０１の制御パターン設定を用いたＬＥＤ２０１の制御方法を示すシーケンス図である。ステーショナリ機器１のＰＣＬコントローラ１０２及びＰＣＬアダプタ１０３は、アプリケーション１０１による接続処理指示に従い、接続要求をＵＳＢケーブル３及び通信デバイス２の接続層２０４及び物理層２０５を介してモバイル機器４に送信する。通信デバイス４は、接続層２０４及び物理層２０５を介してモバイル機器４から接続要求を受信すると、通信デバイス４及びＵＳＢケーブル３を介してステーショナリ機器１に接続応答を送信する。
【００４５】
ステーショナリ機器１のＰＣＬコントローラ１０２及びＰＣＬアダプタ１０３は、ＵＳＢブリッジ１０４及びＨＣ１０５を介して受信した接続応答を取得する。ステーショナリ機器１のＰＣＬコントローラ１０２及びＰＣＬアダプタ１０３は、モバイル機器４との接続を確立する。ＰＣＬコントローラ１０２及びＰＣＬアダプタ１０３は、アプリケーション１０１により決定された制御プロトコルに基づいて、制御パターン設定指示をイニシエータ１０６に送信する。ここで、制御パターン設定とは、通信デバイス２で通信データパケットのパケットパターンとそれに対応したＬＥＤ２０１に対する制御パターンとを対応付けた制御パターンリストに基づいてＬＥＤ２０１を制御させるものである。
【００４６】
イニシエータ１０６は、制御パターン設定指示をパケット化し、ＵＳＢケーブル３を介して通信デバイス２に送信する。通信デバイス２のターゲット２０６は、ＵＳＢデバイス２０２及びＵＳＢブリッジ２０３で受信した制御パターン設定指示パケットを取得する。ターゲット２０６は、制御パターン設定指示パケットを最初に取得すると、ＬＥＤコントローラ２０９に点灯指示を出力する。ＬＥＤコントローラ２０９は、点灯指示に基づいて、ＬＥＤ２０１を点灯制御する。
【００４７】
ターゲット２０６は、ステーショナリ機器１のアプリケーション１０１からモバイル機器４にファイルの転送処理がなされている間、転送される通信データパケットを監視する。ターゲット２０６は、制御パターンリストを予め保有している。そして、ターゲット２０６は、通信データパケットと制御パターンリストとを比較し、一致するパケットパターンを検知した場合、このパケットパターンに対応する制御パターンでＬＥＤ２０１を制御する。例えば、ターゲット２０６は、通信データパケットの内容の変化の監視によって、ファイルの転送開始及び転送終了時点を検知する。
【００４８】
次に、アプリケーション１０１は、イニシエータ１０６が制御パターン設定指示を通信デバイス２に送信した後、ＵＳＢケーブル３及び通信デバイス２の接続層２０４及び物理層２０５を介してモバイル機器４へ転送対象となるファイルを保存するフォルダの変更指示を送信する。ターゲット２０６は、フォルダ変更指示を監視を監視ているが、フォルダ変更指示のパケットと制御パターンリストとは一致しないため、ＬＥＤ２０１を制御しないと判断する。
【００４９】
次に、アプリケーション１０１は、モバイル機器４へファイルの転送処理を開始する。ターゲット２０６は、転送対象のファイルの通信データパケットを監視する。イニシエータ１０６は、転送対象のファイルの通信データパケットと制御パターンリストとを比較してファイルの転送処理の開始を検知すると、ＬＥＤコントローラ２０９に点滅指示を出力する。ＬＥＤコントローラ２０９は、点灯指示に基づいて、ＬＥＤ２０１を点滅制御する。
【００５０】
その後、ターゲット２０６が転送対象のファイルの通信データパケットと制御パターンリストとを比較してファイルの転送処理の終了を検知すると、ＬＥＤコントローラ２０９に点灯指示を出力する。ＬＥＤコントローラは、点灯指示に基づいて、ＬＥＤ２０１を点灯制御する。
【００５１】
アプリケーション１０１が、モバイル機器４へ転送対象のファイル全ての転送処理を終了すると、イニシエータ１０６に切断指示を送信する。ステーショナリ機器１のＰＣＬコントローラ１０２及びＰＣＬアダプタ１０３は、アプリケーション２０１による切断処理指示に従い、切断要求をＵＳＢケーブル３を及び通信デバイス２の接続層２０４及び物理層２０５を介してモバイル機器４に送信する。
【００５２】
ステーショナリ機器１のＰＣＬコントローラ１０２及びＰＣＬアダプタ１０３は、切断要求をモバイル機器４に送信後、通信デバイス４に対して設定した制御パターン設定を解除する制御パターン設定解除指示をイニシエータ１０６に送信する。
【００５３】
イニシエータ１０６は、制御パターン設定解除指示をパケット化し、ＵＳＢケーブル３を介して通信デバイス２に送信する。通信デバイス２のターゲット２０６は、ＵＳＢブリッジ２０２及びＵＳＢデバイス２０３で受信した制御パターン設定解除指示パケットを取得する。ターゲット２０６は、制御パターン設定解除指示パケットに基づいて、ＬＥＤコントローラ２０９に制御パターン設定解除指示を出力する。ＬＥＤコントローラ２０９は、制御パターン設定解除指示に基づいて、ＬＥＤ２０１を消灯制御する。
【００５４】
図１７は、本実施形態に係る近接無線システムにおいて。モバイル機器４からステーショナリ機器１へのファイル転送時、ＬＥＤ２０１の制御パターン設定を用いたＬＥＤ２０１の制御方法を示すシーケンス図である。はじめに、モバイル機器４は、通信デバイス２の接続層２０４及び物理層２０５と通信することで、通信デバイス２を介してステーショナリ機器１に接続要求を送信する。ステーショナリ機器１のＰＣＬコントローラ１０２及びＰＣＬアダプタ１０３は、ＵＳＢケーブル３及び通信デバイス２の接続層２０４及び物理層２０５を介してモバイル機器４に接続応答を送信する。モバイル機器４は、ステーショナリ機器１との接続を確立する。
【００５５】
ＰＣＬコントローラ１０２及びＰＣＬアダプタ１０３は、モバイル機器４に接続応答を送信後、アプリケーション１０１により決定された制御プロトコルに基づいて、制御パターン設定指示をイニシエータ１０６に送信する。
【００５６】
イニシエータ１０６は、制御パターン設定指示をパケット化し、ＵＳＢケーブル３を介して通信デバイス２に送信する。通信デバイス２のターゲット２０６は、ＵＳＢデバイス２０２及びＵＳＢブリッジ２０３で受信した制御パターン設定指示パケットを取得する。ターゲット２０６は、制御パターン設定指示パケットを最初に取得すると、ＬＥＤコントローラ２０９に点灯指示を出力する。ＬＥＤコントローラ２０９は、点灯指示に基づいて、ＬＥＤ２０１を点灯制御する。
【００５７】
ターゲット２０６は、モバイル機器４からステーショナリ機器１のアプリケーション１０１にファイルの転送処理がなされている間、転送される通信データパケットを監視する。ターゲット２０６は、通信データパケットと制御パターンリストを比較し、一致するパケットパターンを検知した場合、このパケットパターンに対応する制御パターンでＬＥＤ２０１を制御する。
【００５８】
モバイル機器４は、ステーショナリ機器１から接続応答を受信した後、ファイルの転送処理を開始する。モバイル機器４は、ＵＳＢケーブル３及び通信デバイス２の接続層２０４及び物理層２０５を介してステーショナリ機器１のアプリケーション１０１へフォルダ変更指示を送信する。ターゲット２０６は、フォルダ変更指示を監視を監視ているが、フォルダ変更指示のパケットと制御パターンリストとは一致しないため、ＬＥＤ２０１を制御しないと判断する。
【００５９】
次に、モバイル機器４は、ステーショナリ機器１のアプリケーション１０１へファイルの転送処理を開始する。ターゲット２０６は、転送対象のファイルの通信データパケットを監視する。イニシエータ１０６は、転送対象のファイルの通信データパケットと制御パターンリストとを比較してファイルの転送処理の開始を検知すると、ＬＥＤコントローラ２０９に点滅指示を出力する。ＬＥＤコントローラ２０９は、点灯指示に基づいて、ＬＥＤ２０１を点滅制御する。
【００６０】
その後、ターゲット２０６が転送対象のファイルの通信データパケットと制御パターンリストとを比較してファイルの転送処理の終了を検知すると、ＬＥＤコントローラ２０９に点灯指示を出力する。ＬＥＤコントローラは、点灯指示に基づいて、ＬＥＤ２０１を点灯制御する。
【００６１】
モバイル機器４は、ステーショナリ機器１のアプリケーション１０１へ転送対象のファイル全ての転送処理を終了すると、ステーショナリ機器１に切断要求を送信する。ステーショナリ機器１のＰＣＬコントローラ１０２及びＰＣＬアダプタ１０３は、切断要求に従い、通信デバイス４に対して制御パターン設定解除指示をイニシエータ１０６に送信する。
【００６２】
イニシエータ１０６は、制御パターン設定解除指示をパケット化し、ＵＳＢケーブル３を介して通信デバイス２に送信する。通信デバイス２のターゲット２０６は、ＵＳＢブリッジ２０２及びＵＳＢデバイス２０３で受信した制御パターン設定解除指示パケットを取得する。ターゲット２０６は、制御パターン設定解除指示パケットに基づいて、ＬＥＤコントローラ２０９に制御パターン設定解除指示を出力する。ＬＥＤコントローラ２０９は、制御パターン設定解除指示に基づいて、ＬＥＤ２０１を消灯制御する。
【００６３】
図１８は、本実施形態に係る近接無線システムにおいて、上記図１６から図１７で説明した通信デバイス２による制御パターンリストを用いたＬＥＤ２０１の制御方法の一例を示す概要図である。ここでは、ステーショナリ機器１とモバイル機器４との間でＯＢＥＸ規格で通信データパケットを送受信する場合の例である。制御パターンリストは、通信データパケットの開始位置からの指定長さ分のデータが特定のパターンと一致するか否かによって、ＬＥＤ２０１に対する点滅制御と点灯制御を規定している。
【００６４】
例えば、モバイル機器４から通信データパケットを送信するＰＵＴオペレーションの場合、ターゲット２０６は、通信データパケットの最初の１バイトの0x02が、ＬＥＤ２０１に対して点滅制御すると設定されたパケットパターンと一致すると判断する。ターゲット２０６は、ＬＥＤコントローラ２０９によりＬＥＤ２０１を点滅制御する。同様に、例えば、通信データパケットの最後のビットセットの送信であるＰＵＴ（Final bit set）オペレーションの場合、ターゲット２０６は、通信データパケットの最初の１バイトの0x82が、ＬＥＤ２０１に対して点灯制御すると設定されたパケットパターンと一致すると判断する。ターゲット２０６は、ＬＥＤコントローラによりＬＥＤ２０１を点灯制御する。同様に、通信データを保存するフォルダの位置を変更するためのSETPSTHオペレーションの場合、ターゲット２０６は、通信データパケットの最初の１バイトが、ＬＥＤ２０１に対して点灯制御または点滅制御すると設定されたパケットパターンのどれとも一致しないと判断する。しががって、ターゲット２０６は、ＬＥＤ２０１の状態を変更しない。
【００６５】
図１９は、本実施形態に係る近接無線システムにおいて、上記図１６から図１７で説明した通信デバイス２による制御パターンリストを用いたＬＥＤ２０１の制御方法を示すフローチャートである。ターゲット２０６は、制御パターン設定指示を受信すると、制御パターンリストを用いたＬＥＤ２０１の制御の開始を設定する。ターゲット２０６は、ステーショナリ機器１とモバイル機器４との間で送受信される通信データパケットを監視する（ステップＳ３０２）。
【００６６】
ターゲット２０６は、通信データパケットと制御パターンリストを比較する（ステップＳ３０３）。通信パケットの内容がパターンＡと一致した場合、ターゲット２０６は、ＬＥＤコントローラ２０９によりＬＥＤ２０１を点灯制御する（ステップＳ２０４）。パターンＡと一致する通信パケットの内容は、例えば、モバイル機器４との接続を示す内容、またはファイルの転送処理完了を示す内容である。この場合、ターゲット２０６は、ステップＳ３０２に戻って、通信パケットの監視を続行する。
【００６７】
通信パケットの内容がパターンＢと一致した場合、ターゲット２０６は、ＬＥＤコントローラ２０９によりＬＥＤ２０１を点滅制御する（ステップＳ３０５）。パターンＢと一致する通信パケットの内容は、例えば、モバイル機器４とのファイル転送処理の開始を示す内容である。この場合、ターゲット２０６は、ステップＳ３０２に戻って、通信パケットの監視を続行する。
【００６８】
通信パケットの内容がパターンＣと一致した場合、ターゲット２０６は、ＬＥＤコントローラ２０９によりＬＥＤ２０１を消灯制御する（ステップＳ３０６）。パターンＣと一致する通信パケットの内容は、例えば、モバイル機器４との切断を示す内容である。この場合、ターゲット２０６は、通信パケットの監視を終了する。
【００６９】
図２０は、本実施形態に係る近接無線システムにおいて、通信データパケットの通信プロトコルに応じてＬＥＤ２０１の制御方法を変更するステーショナリ機器１の動作概要を示すフローチャートである。
【００７０】
はじめに、ステーショナリ機器１は、アプリケーション１０１で転送処理する通信データパケットの通信プロトコルを判別する（ステップＳ４０１）。通信プロトコルが第１のプロトコル（例えばＳＣＳＩ）の場合（ステップＳ４０２、ＹＥＳ）、イニシエータ１０６は、転送処理開始時にＬＥＤ２０１に対する点滅指示を通信デバイス２に送信する（ステップＳ４０３）。次に、アプリケーション１０１は、通信デバイス２に転送処理する通信データを転送する（ステップＳ４０４）。そして、イニシエータ１０６は、転送処理終了時にＬＥＤ２０１に対する点灯指示を通信デバイス２に送信する（ステップＳ４０５）。つまり、通信プロトコルが第１のプロトコルの場合、ステーショナリ機器１及び通信デバイス２はｍ図８及び図１３で説明したように動作する。
【００７１】
また、通信プロトコルが第１のプロトコルでない（第２のプロトコルが例えばＯＢＥＸである）場合（ステップＳ４０２、ＮＯ）、イニシエータ１０６は、転送処理開始前に、上記説明した制御パターン設定指示を通信デバイス２に送信する（ステップＳ４０６）。次に、アプリケーション１０１は、通信デバイス２に転送処理する通信データを転送する（ステップＳ４０７）。
【００７２】
通信デバイス２は、通信データパケットを監視することで、転送処理開始時にＬＥＤ２０１を点滅制御し、転送処理終了時にＬＥＤ２０１を点灯制御する。つまり、通信プロトコルが第２のプロトコルの場合、ステーショナリ機器１及び通信デバイス２は、図１６から図１９で説明したように動作する。
【００７３】
本実施形態では、ステーショナリ装置１とモバイル機器４と間の通信状態（例えば、接続、ファイルの転送処理中、切断）に応じて、ＬＥＤ２０１の状態を制御していたが、音声出力部２０８の音声出力状態（例えば、長音、短音、効果音など）を制御してもよい。
【００７４】
本実施形態によれば、制御アプリケーション１０１を有するステーショナリ装置１と通信デバイス２が分離された構成でも、ＬＥＤ２１０及び音声出力部２０９の状態表示制御を実施できる。そのため、ユーザは、通信デバイス２におけるＬＥＤ２１０及び音声出力部２０９の状態を確認することで、ステーショナリ装置１とモバイル機器４と間の通信状態を容易に把握できる。
【００７５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００７６】
１…ステーショナリ機器、２…通信機器。３…ＵＳＢケーブル、４…モバイル機器、１０…ＰＣＬ、２０…アンテナ、１０１…アプリケーション、１０６…イニシエータ、２０６…ターゲット、２０４…ＣＮＬ、２０５…ＰＨＹ、２１０…ＬＥＤ。
【図１】
2011160472.tif 000003
【図２】
2011160472.tif 000004
【図３】
2011160472.tif 000005
【図４】
2011160472.tif 000006
【図５】
2011160472.tif 000007
【図６】
2011160472.tif 000008
【図７】
2011160472.tif 000009
【図８】
2011160472.tif 000010
【図９】
2011160472.tif 000011
【図１０】
2011160472.tif 000012
【図１１】
2011160472.tif 000013
【図１２】
2011160472.tif 000014
【図１３】
2011160472.tif 000015
【図１４】
2011160472.tif 000016
【図１５】
2011160472.tif 000017
【図１６】
2011160472.tif 000018
【図１７】
2011160472.tif 000019
【図１８】
2011160472.tif 000020
【図１９】
2011160472.tif 000021
【図２０】
2011160472.tif 000022